(57)【要約】【課題】従来型電話機とＩＰ電話機とが相互に内線通話をすることを可能とする。【解決手段】従来型電話機と、前記従来型電話機を収容する主装置と、前記主装置とネットワークを介して接続されるＩＰ電話サーバと、前記主装置及び前記ＩＰ電話サーバと前記ネットワークを介して接続されるＩＰ電話機を備え、前記ＩＰ電話サーバは、前記従来型電話機のホスト名を前記主装置のＩＰアドレスと関連付けて保持する手段と、前記ＩＰ電話機のホスト名を該ＩＰ電話機のＩＰアドレスと関連付けて保持する手段とを備え、前記主装置は、前記従来型電話機の電話番号を該従来型電話機のホスト名と関連付けて保持する手段と、前記ＩＰ電話機の電話番号を該ＩＰ電話のホスト名と関連付けて保持する手段とを備える。【選択図】        図１
2004228977.tif 000002
【特許請求の範囲】
【請求項１】
従来型電話機と、
前記従来型電話機を収容する主装置と、
前記主装置とネットワークを介して接続されるＩＰ電話サーバと、
前記主装置及び前記ＩＰ電話サーバと前記ネットワークを介して接続されるＩＰ電話機を備え、
前記ＩＰ電話サーバは、前記従来型電話機の電話機特定情報を前記主装置のＩＰアドレスと関連付けて保持する手段と、前記ＩＰ電話機のＩＰアドレス以外の電話機特定情報を該ＩＰ電話機のＩＰアドレスと関連付けて保持する手段とを備え、
前記主装置は、前記従来型電話機の電話番号を該従来型電話機の電話機特定情報と関連付けて保持する手段を備えることを特徴とする電話システム。
【請求項２】
請求項１に記載の電話システムにおいて、
前記主装置は、前記従来型電話機の電話機特定情報を前記主装置のＩＰアドレスと関連付けて前記ＩＰ電話サーバに送信する手段を備えることを特徴とする電話システム。
【請求項３】
従来型電話機の電話機特定情報を主装置のＩＰアドレスと関連付けて保持する手段と、ＩＰ電話機のＩＰアドレス以外の電話機特定情報を該ＩＰ電話機のＩＰアドレスと関連付けて保持する手段とを備えることを特徴とするＩＰ電話サーバ。
【請求項４】
従来型電話機の電話番号を該従来型電話機の電話機特定情報と関連付けて保持する手段を備えることを特徴とする主装置。
【請求項５】
請求項４に記載の主装置において、前記従来型電話機の電話機特定情報を当該主装置のＩＰアドレスと関連付けてＩＰ電話サーバに送信する手段を更に備えることを特徴とする主装置。
【請求項６】
請求項１に記載の電話システムにおける通話確立方法において、
前記従来型電話機が、前記ＩＰ電話機の電話番号に対して発呼するステップと、
前記主装置が、前記発呼に係る電話番号に対応する前記ＩＰ電話機のＩＰアドレス以外の電話機特定情報を用いて前記ＩＰ電話サーバに接続要求を出すステップと、
前記ＩＰ電話サーバが、前記ＩＰ電話機のＩＰアドレスを用いて、前記ＩＰ電話機のＩＰアドレス以外の電話機特定情報宛に着呼を入れるステップと、
を有することを特徴とする通話確立方法。
【請求項７】
請求項１に記載の電話システムにおける通話確立方法において、
前記ＩＰ電話機が、前記従来型電話機の電話機特定情報に対して発呼するステップと、
前記ＩＰ電話サーバが、前記主装置のＩＰアドレスを用いて、前記主装置に前記従来型電話機の電話機特定情報宛の着信を入れるステップと、
前記主装置が、前記ＩＰ電話サーバからの着信に係る前記従来型電話機の電話機特定情報から得られる該従来型電話機の内線番号に対して着呼を入れるステップと、
を有することを特徴とする通話確立方法。
【発明の詳細な説明】
【０００１】
【発明の属する技術分野】
本発明は、電話システムに関し、特に、従来型電話機及びＩＰ電話機を含む電話システムに関する。
【０００２】
【従来の技術】
従来の電話システムを図７を参照して説明する。
【０００３】
図７において、主装置９０１は従来型電話機１００、１０１、１０２を収容するインターフェースを有し、ＬＡＮ回線９０３を収容するインターフェースを有し、ＲＴＰ（Ｒｅａｌ−Ｔｉｍｅ  Ｔｒａｎｓｐｏｒｔ  Ｐｒｏｔｏｃｏｌ）信号から内線電話機用の音声信号への変換及びその逆変換を行うＣＯＤＥＣ回路を有し、それらを制御する制御回路を有する。また、制御回路の中には、ＳＩＰ（Ｓｅｓｓｉｏｎ  Ｉｎｉｔｉａｔｉｏｎ  Ｐｒｏｔｏｃｏｌ）プロトコルを処理するアプリケーションが動作している。主装置９０１は、システムデータとして、主装置のドメイン名、ホスト名を設定できる。主装置はそのシステムデータのドメイン名、ホスト名を基にＳＩＰサーバへ主装置の位置登録を行う。なお、従来型電話機とは、例えば、テンキーの他に機能毎に設けられたファンクションボタンを有する現在一般的に会社等で用いられているボタン電話のことである。
【０００４】
なお、本発明に関連する先行技術文献としては以下のものがある。
【特許文献１】
特開２０００−１１５８２１公報
【特許文献２】
特開２００１−１２７８８３公報
【特許文献３】
特開２００１−２３７８９７公報
【特許文献４】
特開２００２−１１８５９４公報
【特許文献５】
特開２００２−２５２６５５公報
【０００５】
【発明が解決しようとする課題】
しかしながら、従来の電話システムにおいては、次のような課題がある。
【０００６】
第１の課題は、各ＳＩＰ端末がＳＩＰサーバより知り得る宛先は主装置のＩＰアドレス及び他のＳＩＰ端末のＩＰアドレスのみであるため、システムに収容されている内線電話へ内線発信できないということである。
【０００７】
第２の課題は、電話システムに収容されている内線電話機がＳＩＰ端末のＩＰアドレスを取得できないため、内線電話機がＳＩＰ端末へ発信できないということである。
【０００８】
本発明の目的は、従来型電話機とＩＰ電話機とが相互に内線通話をすることを可能とする従来型電話機及びＩＰ電話機を含む電話システムを提供することを目的とする。
【０００９】
【課題を解決するための手段】
本発明は、電話システムの主装置が、システムデータとして主装置のドメイン名、従来型電話機のホスト名、内線電話機として扱うＳＩＰ端末のホスト名を設定できるようにし、主装置はそのシステムデータのドメイン名、ホスト名を基にＳＩＰサーバへ自動的に登録されるように動作し、従来型内線電話の操作を変えることなくＳＩＰ端末と通話することが可能としたものである。
【００１０】
また、本発明は、ＳＩＰプロトコルを実装したＳＩＰ端末を電話システムの内線電話として認識し、従来電話機からそのＳＩＰ端末へ発信をさせることができること、また従来の主装置収容内線電話機を主装置が内線電話機に替わってＳＩＰサーバへ自動登録することでＳＩＰ端末から電話システム収容の内線電話機へ着信させることができることを特徴としている。
【００１１】
本発明の第１の観点によれば、従来型電話機と、前記従来型電話機を収容する主装置と、前記主装置とネットワークを介して接続されるＩＰ電話サーバと、前記主装置及び前記ＩＰ電話サーバと前記ネットワークを介して接続されるＩＰ電話機を備え、前記ＩＰ電話サーバは、前記従来型電話機の電話機特定情報を前記主装置のＩＰアドレスと関連付けて保持する手段と、前記ＩＰ電話機のＩＰアドレス以外の電話機特定情報を該ＩＰ電話機のＩＰアドレスと関連付けて保持する手段とを備え、前記主装置は、前記従来型電話機の電話番号を該従来型電話機の電話機特定情報と関連付けて保持する手段を備えることを特徴とする電話システムが提供される。
【００１２】
上記の電話システムにおいて、前記主装置は、前記従来型電話機の電話機特定情報を前記主装置のＩＰアドレスと関連付けて前記ＩＰ電話サーバに送信する手段を備えていてもよい。
【００１３】
本発明の第２の観点によれば、従来型電話機の電話機特定情報を主装置のＩＰアドレスと関連付けて保持する手段と、ＩＰ電話機のＩＰアドレス以外の電話機特定情報を該ＩＰ電話機のＩＰアドレスと関連付けて保持する手段とを備えることを特徴とするＩＰ電話サーバが提供される。
【００１４】
本発明の第３の観点によれば、従来型電話機の電話番号を該従来型電話機の電話機特定情報と関連付けて保持する手段を備えることを特徴とする主装置が提供される。
【００１５】
上記の主装置は、前記従来型電話機の電話機特定情報を当該主装置のＩＰアドレスと関連付けてＩＰ電話サーバに送信する手段を更に備えていてもよい。
【００１６】
本発明の第４の観点によれば、上記の電話システムにおける通話確立方法において、前記従来型電話機が、前記ＩＰ電話機の電話番号に対して発呼するステップと、前記主装置が、前記発呼に係る電話番号に対応する前記ＩＰ電話機のＩＰアドレス以外の電話機特定情報を用いて前記ＩＰ電話サーバに接続要求を出すステップと、前記ＩＰ電話サーバが、前記ＩＰ電話機のＩＰアドレスを用いて、前記ＩＰ電話機のＩＰアドレス以外の電話機特定情報宛に着呼を入れるステップと、を有することを特徴とする通話確立方法が提供される。
【００１７】
本発明の第５の観点によれば、上記の電話システムにおける通話確立方法において、前記ＩＰ電話機が、前記従来型電話機の電話機特定情報に対して発呼するステップと、前記ＩＰ電話サーバが、前記主装置のＩＰアドレスを用いて、前記主装置に前記従来型電話機の電話機特定情報宛の着信を入れるステップと、前記主装置が、前記ＩＰ電話サーバからの着信に係る前記従来型電話機の電話機特定情報から得られる該従来型電話機の内線番号に対して着呼を入れるステップと、を有することを特徴とする通話確立方法が提供される。
【００１８】
【発明の実施の形態】
図１を参照すると、本実施形態による電話システムが示されている。図１において、主装置１１１は内線電話機１００、１０１、１０２を収容し、ＬＡＮ１１３を収容する。主装置１１１には、内線電話機１００、１０１、１０２が接続されている。ＬＡＮ１１３上にはＳＩＰサーバ１１２が稼動している。ＳＩＰサーバ１１２は、レジスターサーバ、プロキシーサーバ、リダイレクトサーバを兼ねている。さらにＬＡＮ１１３上には、ＳＩＰ端末２００、２０１、２０２が接続されている。
【００１９】
図１のＳＩＰサーバは、当業者にとってよく知られており、また本発明とは直接関係しないので、その詳細な構成は省略する。
【００２０】
図２において、主装置１１１は内線電話機１００、１０１、１０２を収容する内線電話機収容インターフェース１２１を有し、ＬＡＮ１１３を収容するＬＡＮ収容インターフェース１２２を有し、ＲＴＰ信号から内線電話機用の音声信号への変換及びその逆変換を行うＣＯＤＥＣ回路１２３を有し、それらを制御する制御回路１２４を有する。また、制御回路１２４の中では、ＳＩＰプロトコルを処理するアプリケーションが動作している。また、主装置１１１は、システムデータを格納するシステムデータデータベース１２５を有する。システムデータデータベース１２５には、主装置１１１のドメイン名、従来型電話機のホスト名（電話機特定情報）、内線扱いをするＳＩＰ端末のホスト名（ＩＰアドレス以外の電話機特定情報）を設定できる。主装置１１１は、そのシステムデータのドメイン名、ホスト名を基にシステムに収容されている内線電話をＳＩＰサーバへ自動的に登録する。従来型電話機のホスト名は、その従来型電話機に割り当てられた内線番号と関連付けてシステムデータベース１２５に格納される。このようなデータが格納されたシステムデータデータベース１２５のテーブルの内容を下表に示す。
【００２１】
【表１】
2004228977.tif 000003
ＳＩＰ端末２００、２０１、２０２は個々に自分自身の登録を行う。具体的には、ＳＩＰ端末２００は、自分自身のホスト名”Ｓｕｚｕｋｉ＠ｘｘｘ”を自分自身のＩＰアドレスと関連付けてＳＩＰサーバ１１２に登録し、ＳＩＰ端末２０１は、自分自身のホスト名”  Ｓａｔｏ＠ｘｘｘ”を自分自身のＩＰアドレスと関連付けてＳＩＰサーバ１１２に登録し、ＳＩＰ端末２０２は、自分自身のホスト名”Ｔａｎａｋａ＠ｘｘｘ”を自分自身のＩＰアドレスと関連付けてＳＩＰサーバ１１２に登録する。
【００２２】
主装置１１１に収容されている従来型電話機はその登録の機能を有していない。そのため主装置１１１がシステムデータデータベース１２５に格納されているデータを基に、従来型電話機に代理して従来型電話機のＳＩＰサーバ１１２への登録を行う。
【００２３】
すなわち、図３に示すように、主装置１１１が初期立ち上がった時、又は、主装置１１１の稼動中にホスト名などＳＩＰサーバへ登録する要素のシステムデータに変更があった時に、主装置１１１は、システムデータデータベース１２５からホスト名とドメイン名のシステムデータを参照し、ＳＩＰサーバ１１２への登録用の登録メッセージを作成する。そのメッセージを内線電話の個数分、順次ＳＩＰサーバに対して送出する。具体的には、主装置１１１は、従来型電話機１０のホスト名”Ｉｔｏｈ＠ｘｘｘ”、従来型電話機１０１のホスト名”Ｙａｍａｄａ＠ｘｘｘ”、従来型電話機１０２のホスト名”Ｓｈｉｍｉｚｕ＠ｘｘｘ”及び主装置のホスト名”ｚｚｚ＠ｘｘｘ”を主装置１１１のＩＰアドレスと関連付けて順次ＳＩＰサーバ１１２に登録する。
【００２４】
このような登録が行われた後にＳＩＰサーバ１１２に保持されることとなったテーブルの内容を下表に示す。
【００２５】
【表２】
2004228977.tif 000004
次に、従来型電話機１００からＳＩＰ端末２００へ発信する場合の動作について図４を参照して説明する。従来型電話機１００を使ってユーザが”２００”とダイヤルすると、従来型電話機１００は主装置１１１に対し、ＳＩＰ端末２００の内線番号で発呼する（ステップＳ１０１）。次に、主装置１１１は内線番号２００の発呼を受信するとシステムデータデータベース１２５内のシステムデータの上記第１の表を参照し、ダイヤル”２００”に対応するホスト名を検索する（ステップＳ１０２）。検索されれば、検索されたホスト名（例では、”Ｓｕｚｕｋｉ＠ｘｘｘ”）を元にＳＩＰサーバ１１２に接続要求メッセージであるＩＮＶＩＴＥメッセージを送出する（ステップＳ１０３）。ステップＳ１０３でのＩＮＶＩＴＥメッセージの宛先ＩＰアドレスはＳＩＰサーバ１１２のものである。ＳＩＰサーバ１１２は、ＩＮＶＩＴＥメッセージを受け取ると、ＩＮＶＩＴＥメッセージに含まれているＳＩＰ端末のホスト名に対応するＳＩＰ端末のＩＰアドレスを上記第２の表から検索する（ステップＳ１０４）。そして、ステップＳ１０４で検索されたＳＩＰ端末２００のＩＰアドレスを用いて、ホスト名“Ｓｕｚｕｋｉ＠ｘｘｘ”のＳＩＰ端末２００へＩＮＶＩＴＥメッセージを転送する（ステップＳ１０５）。ここでのＩＮＶＩＴＥメッセージの宛先ＩＰアドレスは、ＳＩＰ端末２００のものである。
【００２６】
次に、ＳＩＰ端末２００から従来型電話機２００へ発信する場合の動作について図５を参照して説明する。ＳＩＰ端末２００から、従来型電話機２００のホスト名”Ｉｔｏｈ＠ｘｘｘ”でＩＮＶＩＴＥメッセージをＳＩＰサーバ１１２に送信する（ステップＳ１１１）。ステップＳ１１１でのＩＮＶＩＴＥメッセージの宛先ＩＰアドレスはＳＩＰサーバ１１２のものである。ＳＩＰサーバ１１２は、ステップＳ１１１で受信したＩＮＶＩＴＥメッセージに含まれているホスト名”Ｉｔｏｈ＠ｘｘｘ”に対応するＩＰアドレスを上記第２の表から検索する（ステップＳ１１３）。ここで検索されるＩＰアドレスは、主装置１１１のものである。そして、ＳＩＰサーバ１１２は、ステップＳ１１３で検索された主装置１１１のＩＰアドレス宛にＩＮＶＩＴＥメッセージを転送する（ステップＳ１１５）。主装置１１１は、ＩＮＶＩＴＥメッセージを受信すると、ＩＮＶＩＴＥメッセージに含まれているホスト名”Ｉｔｏｈ＠ｘｘｘ”に対応する内線番号を上記表１から検索して、従来型電話機の内線番号１００を得る（ステップＳ１１７）。次に、主装置１１１は、内線番号１００の従来型電話機宛に着信をかける（ステップＳ１１９）。
【００２７】
図６は、本発明を拡張した実施形態を示す。ＬＡＮ１１３は、ルータ１１４、ＶＰＮ（Ｖｉｒｔｕａｌ  Ｐｒｉｖａｔｅ  Ｎｅｔｗｏｒｋ）１１５、ルータ１１６を介して他のＬＡＮ１１７に接続されている。ＬＡＮ１１７には、ＳＩＰ端末２０３〜２０５が接続されている。この場合、ＳＩＰ端末２０３〜２０５は、従来型電話機１００〜１０２及びＳＩＰ端末２００〜２０２と通話することが可能となる。従って、例えば、ＬＡＮ１１３が東京にある本社に設置されており、ＬＡＮ１１７が大阪にある支店に設置されている場合、東京から大阪に出張した者が、自分が所有するＳＩＰ端末（例えば、ＰＤＡに実装されているもの）をＬＡＮ１１７に接続することにより、本社にある従来型電話機１００〜１０２及びＳＩＰ端末２００〜２０２と通話することが可能となる。
【００２８】
なお、上記の実施形態においては、ＩＰ電話のプロトコルとしてＳＩＰを用い、ＩＰ電話機の例としてＳＩＰ端末を用い、ＩＰ電話サーバとしてＳＩＰサーバを用いるとしたが、本発明においては、ＩＰ電話のプロトコルとしては、Ｈ．３２３等の他のプロトコルを用いることができ、ＩＰ電話機はＳＩＰ端末には限定されず、ＩＰ電話サーバはＳＩＰサーバに限定されない。
【００２９】
Ｈ．３２３において、数字とアルファベット等によりＨ．３２３  ＩＤを表すとする場合には、上記第１の表は、下表に置き換わり、
【００３０】
【表３】
2004228977.tif 000005
上記第２の表は、下表
【００３１】
【表４】
2004228977.tif 000006
に置き換わる。
【００３２】
Ｈ．３２３において、Ｅ．１６４と同様にＨ．３２３  ＩＤを表すとすると、上記第１の表は、下表
【００３３】
【表５】
2004228977.tif 000007
に置き換わり、上記第２の表は、下表
【００３４】
【表６】
2004228977.tif 000008
に置き換わる。
【００３５】
【発明の効果】
以上説明したように、本発明によれば以下の効果が奏される。
【００３６】
第１の効果は、従来型電話機をあたかもＩＰ電話であるかのごとくＩＰ電話サーバに登録しているので、ＩＰ電話機から従来型電話機へ発信できることである。
【００３７】
第２の効果は、主装置が自動的に従来型電話機のホスト名をＩＰ電話サーバへ登録しているので、従来型電話機のユーザがＩＰ電話サーバへ特別な登録を意識せず、登録が容易にできることである。
【図面の簡単な説明】
【図１】本発明の実施形態による電話システムの構成を示すブロック図である。
【図２】本発明の実施形態による電話システムで用いられる主装置の構成を示すブロック図である。
【図３】本発明の実施形態による電話システムにおける登録の動作を示すシーケンス図である。
【図４】本発明の実施形態による従来型電話機からＳＩＰ端末に電話をかけるときの接続確立のためのシーケンスを表すシーケンス図である。
【図５】本発明の実施形態によるＳＩＰ端末から従来型電話機に電話をかけるときの接続確立のためのシーケンスを表すシーケンス図である。
【図６】本発明の実施形態による拡張された電話システムを表すブロック図である。
【図７】従来例による電話システムの構成を示すブロック図である。
【符号の説明】
１００、１０１、１０２  従来型電話機
１１１  主装置
１１２  ＳＩＰサーバ
１１３  ＬＡＮ
１２１  内線電話機収容インターフェース
１２２  ＬＡＮ収容インターフェース
１２３  ＣＯＤＥＣ回路
１２４  制御回路
１２５  システムデータデータベース
２００、２０１、２０２  ＳＩＰ端末
【図１】
2004228977.tif 000009
【図２】
2004228977.tif 000010
【図３】
2004228977.tif 000011
【図４】
2004228977.tif 000012
【図５】
2004228977.tif 000013
【図６】
2004228977.tif 000014
【図７】
2004228977.tif 000015